(57)【要約】      （修正有）【課題】ウィルスなどの汚染との接触機会を低減し、安心して社会生活を送るため、手軽で、さりげなく、自然に、衛生的に、日常に溶け込むようにファッショナブルに使用可能なハンドカバーを提供する。【解決手段】手のひらに納まるサイズの布地３と、布地を手の平に固定するひも状の固定具４とを有するハンドカバー６であって、布地は、重ね合わせた状態で少なくとも一部が接合された第１及び第２の布部を有し、布地の両側面の一部に一対の開口を設け、第１及び第２の布部の隙間で一対の開口を連結した非接合貫通孔が形成され、一対の開口の少なくとも一方は、第１及び第２の布部を接合していない非接合部であり、ひも状の固定具は、その両端を着脱自在に結合可能であり、非接合貫通孔に固定具を通した状態で固定具の両端を結合して環状とすることで布地を手の平に固定可能とする。【選択図】図４
0003227679.tif 000002
【実用新案登録請求の範囲】
【請求項１】
手のひらに納まるサイズの布地と、前記布地を手の平に固定するひも状の固定具とを有するハンドカバーであって、
前記布地は、重ね合わせた状態で少なくとも一部が接合された第１及び第２の布部を有し、
前記布地の両側面の一部に一対の開口を設け、
前記第１及び第２の布部の隙間で前記一対の開口を連結した非接合貫通孔が形成され、
前記一対の開口の少なくとも一方は、前記第１及び第２の布部を接合していない非接合部であり、
前記ひも状の固定具は、その両端を着脱自在に結合可能であり、
前記非接合貫通孔に前記固定具を通した状態で前記固定具の両端を結合して環状とすることで前記布地を手の平に固定可能な固定部が形成されるハンドカバー。
【請求項２】
前記布地は、半分の位置に穴を有する一枚の布地であり、
前記一枚の布地を半分に折り返すことにより前記第１の布部と前記第２の布部とが構成され、
前記第１の布部と前記第２の布部は、折り返した側面とは反対の側面において、前記布地の端同士を一部を除いて接合することにより前記非接合部が形成されている請求項１に記載のハンドカバー。
【請求項３】
前記固定具は環状の大きさを調節できる結合手段を有する請求項１又は２に記載のハンドカバー。
【考案の詳細な説明】
【技術分野】
【０００１】
本考案は布地と様々な固定具を組み合わせて使用し、公共の場における、様々なウィルスや汚れと手との直接的な接触の機会を衛生的に低減する「テフレズ」（商願２０２０−０６５１１７）に関するものである。
【背景技術】
【０００２】
公共の場においては、様々な人が利用することから、公共の設備にウィルスや汚れ等が付着しているおそれがある。特に、人の手が触れる機会の多いドアノブ、決済時の硬貨の受け渡し、電車やバスの吊り革や柱、階段やエスカレーターの手すり、エレベーターや自動販売機のボタンや操作画面等と接触する際に気になることが多い。従来、気にする人は手袋をすることで公共の設備と直接触れず、衛生を保つ努力をしていた。
【考案の概要】
【考案が解決しようとする課題】
【０００３】
しかし、ウィルスや汚れ等の接触の機会を防止、低減する物品は存在するが、人目を気にせず自然に使用できる物品がないのが現状である。最近猛威を振るっているコロナウィルスの影響で、多くの人がこれらのウィルスや汚れを強く気にする傾向にある。特に、新型コロナウィルスが流行する中で、飛沫感染の他の感染経路として細菌が付着したと思われる、ドアノブ、決済時の硬貨の受け渡し時、電車やバスの吊り革、エスカレーターの手すり、エレベーターのボタンなどの公共の場で、無自覚に細菌が付着した手で無自覚に顔や口を触る事が挙げられる。これは、上記の通り、手袋をすることで防止できるが、手袋は、着脱に手間がかかり、着脱の際に汚れた面を触ってしまうおそれがある。さらに、手袋は目立つため、神経質で潔癖症という印象を持たれるのを避けるため、手袋の使用を躊躇する人もいる。ハンカチやハンドタオルを使用して接触機会を低減することも可能ではあるものの、手に固定されていないものを混雑したバスや電車の車内で同目的のために使用した場合、常に落としてしまう可能性があるだけでなく、汚染された面が特定できずに使用する場合が多いため、本来の目的である、接触機会を低減したはずが、汚染された面と清潔な面を交互に使用してしまい、接触機会を低減するという本来の目的の遂行が難しいというのが実情である。
【０００４】
本考案は、使用している人が、他人の目からは潔癖症のように見られるのではないかと気にしてしまうような物品が多い中、手軽で、さりげなく、自然に、衛生的に、日常に溶け込むようにファッショナブルに使用可能なハンドカバーを提供することを目的とし、もって、ウィルスなどの汚染との接触機会を低減し、安心して社会生活を送ることを目的とするものである。
【課題を解決するための手段】
【０００５】
上記課題を解決するため、本考案のハンドカバーは、手のひらに納まるサイズの布地と、前記布地を手の平に固定するひも状の固定具とを有するハンドカバーであって、前記布地は、重ね合わせた状態で少なくとも一部が接合された第１及び第２の布部を有し、前記布地の両側面の一部に一対の開口を設け、前記第１及び第２の布部の隙間で前記一対の開口を連結した非接合貫通孔が形成され、前記一対の開口の少なくとも一方は、前記第１及び第２の布部を接合していない非接合部であり、前記ひも状の固定具は、その両端を着脱自在に結合可能であり、前記非接合貫通孔に前記固定具を通した状態で前記固定具の両端を結合して環状とすることで前記布地を手の平に固定可能な固定部が形成される。
【０００６】
さらに、上記ハンドカバーにおいて、前記布地は、中央に穴を有する一枚の布地であり、前記一枚の布地を半分に折り返すことにより前記第１の布部と前記第２の布部とが構成され、前記第１の布部と前記第２の布部は、折り返した側面とは反対の側面において、前記布地の端同士を一部を除いて接合することにより前記非接合部が形成されていてもよい。また、前記固定具は環状の大きさを調節できる結合手段を有していてもよい。
【考案の効果】
【０００７】
本考案は、布地によって手とウィルスなどの汚染面との接触の機会を低減することができる上に、固定具を使用することで、バスや電車に乗っている際にも落下する危険性を回避しながら使用することができる。さらに、手の甲で固定することにより手の平の中の布地は、必要以上に手に固定されることがなく、布地の略中心部分の非接合貫通孔で保持されている固定具を支柱として布地の汚染面同士を折り合わせて持つことによって、汚染面に直接手を触れずに脱着が可能である。また、手と布地を固定する固定具を取り外すことができる構造のため、ウィルスや汚れ等によって汚染された布地は洗濯することができ、衛生的に使用ができる。さらに、装着する布地を交換して使用することができるため、複数枚携帯することによってより衛生的で安全な社会生活を送ることができる。汚染された布地は、表面を掌の中で半分に折り込み、携帯することで直接汚染された面に触れる機会を低減することもできる。また、布地を固定する固定具として、レザーバンド、シリコンバンド、チェーンブレスレット、リボン、紐等を手の甲に配置することにより手の甲を装飾しながらも布地が掌に隠れるため、自然に使用しつつ、ファッションアイテムとして楽しむこともできる。布地を固定する固定具には、使用者の所有する様々な物品を使用することができ、更なるファッション的な楽しみを提供することができる。その他の効果については実施の形態の中で説明する。
【図面の簡単な説明】
【０００８】
【図１】本考案の一実施形態の布地の平面図（Ａ）、左側面図（Ｂ）及び右側面図（Ｃ）
【図２】本考案の他の実施形態の布地の平面図（Ａ）、左側面図（Ｂ）及び右側面図（Ｃ）
【図３】（Ａ）は布地と固定具とを組み合わせた状態を示す図、（Ｂ）はハンドカバーを示す図
【図４】本考案のハンドカバーを手に装着した状態を示す図
【考案を実施するための形態】
【０００９】
本考案は、人の手へ細菌や汚れが付着する接触機会を低減しつつ、直接「手を触れず」に、清潔に自然にファッションアイテムとして、安心して社会生活を送ってもらうことができる、レザーバンド、シリコンバンド、チェーンブレスレット、リボンや紐などの固定具と、独自の構造のタオル等の布地とを組み合わせて使用する「テフレズ」（商願２０２０−０６５１１７）を提供するものである。本考案の「テフレズ」の布地は、実施形態の一つとして、布地を半分に折り、その折り目の中心にボタンホール（一般的なシャツのボタンを通すために施工される、生地に並行した数センチの縫い目を施し、その縫い目の間にカッターなどで切れ目を入れて作成する切り目部分が強化された穴）を開け、一部に縫い残しを設けながら折り合わせたタオルや布地の端を縫い合わせる。ボタンホールと、縫い残すことによって設けられた非接合部とは、横から見ると布地の長辺のほぼ同じ位置に設けられている。他の実施形態としては、同じ大きさの２枚の布地（素材、模様は同じものでなくても構わない）を用意し、周囲に一対の非接合部を設けながら縫い合わせる。ボタンホールと非接合部との間又は非接合部間は非接合状態の２枚の布地の隙間によって連結されており、この非接合貫通孔に、レザーバンド、シリコンバンド、チェーンブレスレット、リボンや紐などのような、布地を手に固定しつつ、手の甲を装飾する固定具を組み合わせることでハンドカバーとして使用できる。以下、図面を用いて説明する。
【００１０】
図１（Ａ）は本考案の一実施形態の布地１の平面図であり、（Ｂ）はその左側面図、（Ｃ）はその右側面図である。図１の布地１は、１枚の布地を左側で半分に折り返して、第１の布部１１及び第２の布部１２を構成している。左側面には穴１３が形成され、その他の側面は、右側面の非接合部１５を除いて接合部１４で接合されている。左側面の穴１３と右側面の非接合部１５とは、第１及び第２の布部１１，１２の隙間で連結しており、横方向に貫通する非接合貫通孔１６が形成されている。図１（Ａ）においては、第１の布部１１が表面であるが、第２の布部１２を表面としてもよく、表裏の区別なく使用される。ただし、固定具を取り付けてハンドカバーとして装着時は、取り外すまでは、掌に接触する面と、ドアノブや吊革、手すりといったウィルス等に汚染された面は、使用者が固定具を取り外さない限り、完全に区別される。
【００１１】
布地１は、汗を吸うという目的においてはタオル生地が望ましいが、特に限定されるものではなく、第１の布部と第２の布部の素材を変えてもよく、例えば、片面がタオル生地で片面がその他の布地であっても問題はない。布地１の大きさは、手のひらに納まるサイズであり、男性用、女性用、子供用と、使用者の性別や年齢に応じて適宜設定される。また、形状は、長方形である事は必須ではないが、使用時にその表面積の殆どが隠れるような大きさと形状で、固定具を通せる非接合貫通孔１６があれば問題ない。
【００１２】
図１の布地１は、横方向において半分の位置に穴１３が形成されており、折り返すことによって、穴１３が折り返した側面に配置される。穴１３の周りは補強がされているのが望ましく、例えばボタンホールの穴の周りのようにしっかり縫製されていることが好ましい。穴１３のサイズは、固定具４の大きさよりも大きくする。一般的なレザーブレスレットの幅が１３ｍｍから２０ｍｍであることから、１８ｍｍから２５ｍｍ程度ものが、適切である。
【００１３】
第１の布部１１及び第２の布部１２は、重ね合わせた状態で少なくとも一部が接合部１４で接合される。図１（Ａ）においては、折り返して重ね合わせた布地１の上辺、下辺及び非接合部１５を除く右辺に接合部１４が形成されている。布部の接合としては、縫製、接着、機械的接合（ボタン、マジックテープ（登録商標）、クリップ、ステープラ）等がある。周囲の辺の全てを接合する必要はなく、少なくとも、図１においては、折り返した側面（左）とは反対の側面（右）において、非接合部４を除いて接合すればよい。また、周囲だけではなく、非接合貫通孔１６以外の領域において面で接合してもよい。非接合部１４は、固定具４の大きさよりも大きくする。一般的なレザーブレスレットの幅が１３ｍｍから２０ｍｍであることから、１８ｍｍから２５ｍｍ程度ものが、適切である。
【００１４】
非接合貫通孔１６は、一対の開口として穴１３と非接合部１４とを連結しており、固定具４が挿入される。非接合貫通孔１６は、一対の開口によって、ひも状の固定具４を保持できる。図１においては、連結していることを点線で示しているが、点線が接合部である必要はない。例えば、第１の布部１１と第２の布部１２とが周囲でしか接合されていない場合、非接合貫通孔１６は、第１の布部１１と第２の布部１２との内部空間全てと連続している。
【００１５】
図２（Ａ）は本考案の他の一実施形態の布地２の平面図であり、（Ｂ）はその左側面図、（Ｃ）はその右側面図である。図２の布地２は、２枚の布部２１、２２の周囲を左側面の非接合部２３と右側面の非接合部２５とを除いて、接合部２４で接合された構造である。周囲の接合部２４以外で２枚の布部２１、２２は接合していないため、左側面の非接合部２３と右側面の非接合部２５とは、２枚の布部２１、２２の隙間を介して連結しており、非接合貫通孔が形成されている。
【００１６】
図３（Ａ）は、一対の開口３３、３５を介して布地３の非接合貫通孔にひも状の固定具４を差し込んで布地３と固定具４とを組み合わせた状態を示す図であり、図３（Ｂ）は、固定具４の両端を結合して環状の固定部５を形成してハンドカバー６とした状態を示す図である。固定具４は、ひも状であるが、その両端を着脱自在に結合可能であり、結合することにより環状に変更できる。固定具４の両端は、布地の非接合貫通孔からはみ出た部分を意味し、固定具４のひもの先端のみを意味するものではない。固定具４の両端には結合手段が設けられている。結合手段は、着脱可能なものであれば特に限定されず、例えば、フック、ボタン、マジックテープ（登録商標）、クリップ、留め具、磁石、結び目等でもよい。また、固定具４は環状の固定部５の大きさを調節できるように、結合位置を調整可能な結合手段を有することが好ましい。固定具４としては、レザーバンド、シリコンバンド、チェーンブレスレット、リボン、紐等が例示され、特定の材質に限定されるものではない。固定具４は、布地３と一緒に販売されてもよいし、使用者が所有する本来他の用途のものを固定具として使用してもよい。結合手段は、環状にした後に非接合貫通孔内に移動させることにより、結合手段を隠すことができる。
【００１７】
図４は本考案のハンドカバー６の環状の固定部５に手７を差し込んで装着した状態を示すものであり、（Ａ）は手の甲側、（Ｂ）は手の平側、（Ｃ）は横から見た図である。一般的に親指以外の４本の指を差し込んで使用するものとして設計しているが、個人の好みと手の大きさに応じて、指を３本ないし２本差し込んで使用することも可能である。本考案は接触機会を低減することを目的にするものであって、完全な非接触を目的とするものではないので、使用方法は個人の好みに応じて適宜変更されるものである。なお、布地３の上に手７を載せた状態で、固定具４の結合手段を結合させて固定部を形成してもよい。固定部５が手の甲に当たるので、固定具が通っている非接合貫通孔の部分において布地３を手の平に固定できる。また、手の甲に配置された固定具４に装飾を施すことで見た目もよくすることができる。図４（Ｂ）の布地３の表面がウィルスや汚れた面と接触する面であり、指先でスマートホンを操作したり、本のページをめくったり、指先の繊細なタッチが必要な場合には、指先側の上部の布地を手首側に折り曲げることによって、汚れた面同士が合わさり、その面を触らずに上記の操作等を行うことができる。図４（Ｂ）及び（Ｃ）に示すように、固定具４は、非接合貫通孔の中を通っており、ウィルスや汚れた面と接触する側には殆ど露出しておらず、安全に取り外すことができる。
【符号の説明】
【００１８】
１、２、３  布地
４  固定具
６  ハンドカバー
７  手
【図１】
0003227679.tif 000003
【図２】
0003227679.tif 000004
【図３】
0003227679.tif 000005
【図４】
0003227679.tif 000006